(57)【特許請求の範囲】
【請求項１】
筐体と、
前記筐体の上部に設けられた一又は複数のコンロバーナと、
前記筐体の左右方向の中心に対して、前記筐体の一側壁側に寄った位置に配置され、少なくとも一部が前記コンロバーナの下方に重なるように位置するグリルユニットと
を備えたコンロにおいて、
前記グリルユニットは、
上部が開口するユニット本体部と、
前記ユニット本体部の前記上部に取り付けられ、グリルバーナが固定されたグリルフードと、
前記グリルフードを上方から覆うように配置された遮熱板と
を備え、
前記ユニット本体部と前記グリルフードとの間に、被調理物を前記グリルバーナにより加熱調理する調理空間が形成されるものであって、
前記遮熱板の前記筐体の前記一側壁側の端部には、少なくとも前記グリルバーナよりも下側位置にまで垂下する垂下部が設けられ、
前記垂下部は、前記ユニット本体部及び前記グリルフードから前記筐体の前記一側壁側に所定の隙間を隔てるように配置され、
前記グリルフードの左右方向に対して、前記筐体の前記一側壁側の端部であって、前記コンロバーナの配置位置とは上下方向に重ならない位置には、電装部品を固定すると共に、前記電装部品の先端部を前記グリルバーナに隣接する位置に配置させる電装部品固定部が設けられ、
前記遮熱板の左右方向に対して、前記筐体の前記一側壁側の端部であって、前記電装部品固定部の上方に重なる位置には、前記一側壁側とは反対側に凹状に窪んで形成され、前記電装部品固定部を前記遮熱板の外側に露出させる凹部が設けられ、
前記凹部には、少なくとも平面視で見たときの前記凹部と前記コンロバーナの配置位置との間において、前記凹部と前記グリルフードとの間を上下方向に延びるように配置される邪魔板部が設けられていること
を特徴とする請求項１に記載のコンロ。
【請求項２】
前記邪魔板部には、前記グリルフードにおける前記筐体の前記一側壁側の端部に設けられた孔にネジで固定する固定部が設けられていること
を特徴とする請求項１に記載のコンロ。
【請求項３】
前記垂下部には、前記グリルフード側に向けて突出され、前記グリルフードの上面に当接する当接部が設けられていること
を特徴とする請求項１又は２に記載のコンロ。
【請求項４】
前記当接部は、前記グリルバーナよりも前方に配置されていること
を特徴とする請求項３に記載のコンロ。
【請求項５】
前記垂下部と前記所定の隙間を隔てて相対する前記ユニット本体部の側壁部の外面には、前記側壁部の外面との間に隙間を形成する為のダクト部が設けられていること
を特徴とする請求項１から４の何れかに記載のコンロ。
【請求項６】
筐体と、
前記筐体の上部に設けられた一又は複数のコンロバーナと、
前記筐体の左右方向の中心に対して、前記筐体の一側壁側に寄った位置に配置され、少なくとも一部が前記コンロバーナの下方に重なるように位置するグリルユニットと
を備えたコンロにおいて、
前記グリルユニットは、
上部が開口するユニット本体部と、
前記ユニット本体部の前記上部に取り付けられ、グリルバーナが固定されたグリルフードと、
前記グリルフードを上方から覆うように配置された遮熱板と
を備え、
前記ユニット本体部と前記グリルフードとの間に、被調理物を前記グリルバーナにより加熱調理する調理空間が形成されるものであって、
前記遮熱板の前記筐体の前記一側壁側の端部には、少なくとも前記グリルバーナよりも下側位置にまで垂下する垂下部が設けられ、
前記垂下部は、前記ユニット本体部及び前記グリルフードから前記筐体の前記一側壁側に所定の隙間を隔てるように配置され、
前記垂下部と前記所定の隙間を隔てて相対する前記ユニット本体部の側壁部の外面には、前記側壁部の外面との間に隙間を形成する為のダクト部が設けられていること
を特徴とするコンロ。
【発明の詳細な説明】
【技術分野】
【０００１】
本発明は、コンロに関する。
【背景技術】
【０００２】
略正方形の天板に、２口のコンロバーナを対角線上に配置することで、コンロバーナを横一列に配置するものと比較して横幅寸法を小さくできるようにしたコンロが知られている（例えば、特許文献１参照）。このようなコンロの筐体内に、魚焼き調理等に用いるグリルユニットを装備したコンロも知られている。
【先行技術文献】
【特許文献】
【０００３】
【特許文献１】特開２００９−１８０４００号公報
【発明の概要】
【発明が解決しようとする課題】
【０００４】
横幅寸法の小さいコンロの場合、グリルユニットを筐体内の一側壁側に寄せた位置に、コンロバーナと上下に重なるように配置せざるを得ない。それ故、グリルバーナとコンロバーナを同時に燃焼させた場合、キッチンのキャビネット付近に配置される天板や筐体の温度が過度に上昇する可能性があった。
【０００５】
本発明の目的は、筺体の温度が過度に上昇するのを防止できるコンロを提供することである。
【課題を解決するための手段】
【０００６】
請求項１に係る発明のコンロは、筐体と、前記筐体の上部に設けられた一又は複数のコンロバーナと、前記筐体の左右方向の中心に対して、前記筐体の一側壁側に寄った位置に配置され、少なくとも一部が前記コンロバーナの下方に重なるように位置するグリルユニットとを備えたコンロにおいて、前記グリルユニットは、上部が開口するユニット本体部と、前記ユニット本体部の前記上部に取り付けられ、グリルバーナが固定されたグリルフードと、前記グリルフードを上方から覆うように配置された遮熱板とを備え、前記ユニット本体部と前記グリルフードとの間に、被調理物を前記グリルバーナにより加熱調理する調理空間が形成されるものであって、前記遮熱板の前記筐体の前記一側壁側の端部には、少なくとも前記グリルバーナよりも下側位置にまで垂下する垂下部が設けられ、前記垂下部は、前記ユニット本体部及び前記グリルフードから前記筐体の前記一側壁側に所定の隙間を隔てるように配置され、前記グリルフードの左右方向に対して、前記筐体の前記一側壁側の端部であって、前記コンロバーナの配置位置とは上下方向に重ならない位置には、電装部品を固定すると共に、前記電装部品の先端部を前記グリルバーナに隣接する位置に配置させる電装部品固定部が設けられ、前記遮熱板の左右方向に対して、前記筐体の前記一側壁側の端部であって、前記電装部品固定部の上方に重なる位置には、前記一側壁側とは反対側に凹状に窪んで形成され、前記電装部品固定部を前記遮熱板の外側に露出させる凹部が設けられ、前記凹部には、少なくとも平面視で見たときの前記凹部と前記コンロバーナの配置位置との間において、前記凹部と前記グリルフードとの間を上下方向に延びるように配置される邪魔板部が設けられていることを特徴とする。
【０００７】
【０００８】
請求項２に係る発明のコンロは、請求項１に記載の構成に加え、前記邪魔板部には、前記グリルフードにおける前記筐体の前記一側壁側の端部に設けられた孔にネジで固定する固定部が設けられていることを特徴とする。
【０００９】
請求項３に係る発明のコンロは、請求項１又は２に記載の構成に加え、前記垂下部には、前記グリルフード側に向けて突出され、前記グリルフードの上面に当接する当接部が設けられていることを特徴とする。
【００１０】
請求項４に係る発明のコンロは、請求項３に記載の構成に加え、前記当接部は、前記グリルバーナよりも前方に配置されていることを特徴とする。
【００１１】
請求項５に係る発明のコンロは、請求項１から４の何れかに記載の構成に加え、前記垂下部と前記所定の隙間を隔てて相対する前記ユニット本体部の側壁部の外面には、前記側壁部の外面との間に隙間を形成する為のダクト部が設けられていることを特徴とする。
請求項６に係る発明のコンロは、筐体と、前記筐体の上部に設けられた一又は複数のコンロバーナと、前記筐体の左右方向の中心に対して、前記筐体の一側壁側に寄った位置に配置され、少なくとも一部が前記コンロバーナの下方に重なるように位置するグリルユニットとを備えたコンロにおいて、前記グリルユニットは、上部が開口するユニット本体部と、前記ユニット本体部の前記上部に取り付けられ、グリルバーナが固定されたグリルフードと、前記グリルフードを上方から覆うように配置された遮熱板とを備え、前記ユニット本体部と前記グリルフードとの間に、被調理物を前記グリルバーナにより加熱調理する調理空間が形成されるものであって、前記遮熱板の前記筐体の前記一側壁側の端部には、少なくとも前記グリルバーナよりも下側位置にまで垂下する垂下部が設けられ、前記垂下部は、前記ユニット本体部及び前記グリルフードから前記筐体の前記一側壁側に所定の隙間を隔てるように配置され、前記垂下部と前記所定の隙間を隔てて相対する前記ユニット本体部の側壁部の外面には、前記側壁部の外面との間に隙間を形成する為のダクト部が設けられていることを特徴とする。
【発明の効果】
【００１２】
請求項１に係る発明のコンロでは、垂下部により、グリルバーナの側方を、筺体の一側壁側で覆うことができるので、グリルバーナの輻射熱が筺体に伝わるのを防止できる。よって、筺体の温度が過度に上昇するのを防止できる。
【００１３】
凹部には、少なくとも前記コンロバーナの配置位置との間において、グリルフードとの間を延びるように配置される邪魔板を設けているので、ユニット本体部内の高温の空気が凹部とグリルフードとの間の隙間を介してコンロバーナ側に流れて伝熱するのを防止できる。
【００１４】
請求項２に係る発明のコンロでは、請求項１に記載の効果に加え、邪魔板部が配置される部分では、遮熱板とグリルフードの間は非接触であり、そのような邪魔板部に固定部を設けているので、グリルフードの端部に設けられた孔から漏れる熱気が遮熱板に伝わるのを防止できる。
【００１５】
請求項３に係る発明のコンロでは、請求項１又は２に記載の効果に加え、遮熱板の筐体の一側壁側を、出来る限りユニット本体部と非接触になるように配置できるので、グリルからの熱が直接的に遮熱板に伝熱されて遮熱性が劣るのを防止できる。
【００１６】
請求項４に係る発明のコンロでは、請求項３に記載の効果に加え、当接部はグリルバーナよりも前方に配置されているので、グリルバーナと筺体の一側壁との間に当接部が配置されない。グリルフードのうち、グリルバーナと筐体の一側壁との間の部分は温度が高いが、その部分を避けるようにして、グリルバーナの前方に当接部が配置されているので、グリルフードから当接部を介して遮熱板に伝熱するのを防止できる。
【００１７】
請求項５に係る発明のコンロは、請求項１から４の何れかに記載の効果に加え、垂下部とユニット本体部との間にダクト部を設けることで、遮熱性をより高めることができる。
【００１８】
なお、本発明は、請求項１〜５の各構成を任意に組み合わせてもよい
【図面の簡単な説明】
【００１９】
【図１】コンロ１の斜視図である。
【図２】コンロ１の平面図である。
【図３】図２に示すＩ−Ｉ線矢視方向断面図である。
【図４】コンロ１の斜視図（グリル扉を省略）である。
【図５】前壁部２３に対してグリルユニット４０を後方から固定する状態を示す斜視図である。
【図６】前壁部２３に対してグリルユニット４０が後方から固定した状態を示す斜視図である。
【図７】フロントパネル２８の斜視図である。
【図８】フロントパネル２８の正面図である。
【図９】グリルユニット４０の左斜め前方から見た斜視図である。
【図１０】グリルユニット４０の右斜め前方から見た斜視図である。
【図１１】グリルユニット４０の平面図である。
【図１２】図９に示すＩＩ−ＩＩ線矢視方向断面図である。
【図１３】図１０に示すＷ１領域の部分拡大図である。
【図１４】グリルユニット４０の分解斜視図である。
【図１５】遮熱板７０の斜視図である。
【図１６】遮熱板７０の斜視図である。
【図１７】遮熱板７０の平面図である。
【図１８】遮熱板７０の底面図である。
【図１９】遮熱板７０の正面図である。
【図２０】受皿１１０が連結されたグリル扉１００の後方から見た斜視図である。
【図２１】排気筒８０の排気口８２Ａと、天板３の排気口部１２Ａとの位置関係を示す平面図である。
【図２２】図２に示すＩＩＩ−ＩＩＩ線矢視方向断面図である。
【図２３】筐体２の平面図である。
【発明を実施するための形態】
【００２０】
以下、本発明の実施形態について、図面を参照して説明する。以下に記載されている装置の構造などは、特に特定的な記載がない限り、それのみに限定する趣旨ではなく、単なる説明例である。図面は、本発明が採用しうる技術的特徴を説明するために用いられるものである。
【００２１】
図１，図２を参照して、コンロ１の構造を説明する。コンロ１は、図示しないキッチンのキャビネットに設けられた開口に上方から落とし込まれて設置されるビルトインタイプのコンロである。コンロ１は、略直方体状の筐体２を備える。筐体２の上部には、略正方形の天板３が固定されている。
【００２２】
図１，図２を参照して、天板３の上面構造を説明する。筐体２内に設けられた２本の梁２Ａ，２Ｂ（図２３参照）上には、二つのコンロバーナ４，５が夫々支持され、天板３の対角線上に設けられた２つの開口部（図示略）からコンロバーナ４，５の炎孔部（図示略）を天板３上に突出させる形態で配置されている。右奥側のコンロバーナ４は標準バーナ、左手前側のコンロバーナ５は強火力バーナである。これらコンロバーナ４，５には、五徳６，７が夫々設置されている。
【００２３】
天板３の右手前には、側面視山成り状に隆起するコンロ操作部８が設けられている。コンロ操作部８は、傾斜面８Ａと傾斜面８Ｂを備える。傾斜面８Ａは、手前側から後方に対して斜め上方に傾斜する平面視矩形状の面である。傾斜面８Ｂは、傾斜面８Ａの上端から後方に対して斜め下方に傾斜する平面視矩形状の面である。傾斜面８Ａには、２つの操作ツマミ９，１０が設けられている。操作ツマミ９，１０では、コンロバーナ４，５の点火、消火、及び火力調節等を行うことができる。
【００２４】
天板３の上面の後端部には、前後方向に所定幅を有し、且つ側面視山成り状に隆起するカバー部１１が設けられている。カバー部１１の前側には、手前側から後方に対して斜め上方に緩やかに傾斜する傾斜面１１Ａが設けられ、その後ろ側には、傾斜面１１Ａの上端から後方に対して斜め下方に傾斜する傾斜面１１Ｂが設けられている。傾斜面１１Ａには、排気口部１２Ａが設けられている。排気口部１２Ａは、左右方向に延びる複数のスリットが集合して平面視左右方向に長い略矩形状に構成されている。排気口部１２Ａは、筐体２内に設置されるグリルユニット４０（図５，図９参照）の後部に設けられた排気筒８０の排気口８２Ａの直上に配置されている（図２１参照）。それ故、排気口部１２Ａは、グリルユニット４０内の燃焼ガスを外部に排出する。
【００２５】
傾斜面１１Ｂには、給気口部１２Ｂが設けられている。給気口部１２Ｂも、左右方向に延びる複数のスリットが集合して平面視左右方向に長い略矩形状に構成されている。給気口部１２Ｂは、グリルユニット４０内に設けられた後述するグリルバーナ６５（図３参照）に供給される一次空気を筐体２内に取り込む。天板３の前端側は、筐体２の後述する前壁部２３の上端部に設けられた後述する係止爪２５７Ａ〜２５７Ｃ（図５参照）に係止されている。天板３の後端部の左右両角部は、ネジ１８によって、筐体２の後述する背壁部２４の上端部に締結されている。これにより、天板３は筐体２の上部に固定されている。なお、ネジ１８が締結される箇所は、傾斜面１１Ｂの左右両端部に位置するので、コンロ１の手前から見下ろした場合に、傾斜面１１Ａによって隠れるようになっている。これにより、左右両側のネジ１８が見えないので、天板３の美感を向上できる。
【００２６】
筐体２の構造を説明する。図１，図３に示すように、筐体２は、右壁部２１、左壁部２２、前壁部２３、背壁部２４、底壁部２５等を備え、上面が開口する略直方体状に形成されている。筐体２は、金属製の板金で形成されている。前壁部２３の前面には、フロントパネル２８が固定されると共に、正面視略矩形状のグリル開口部３０が左側に寄せた位置に設けられている。グリル開口部３０は、筐体２内に設置されたグリルユニット４０の前側に設けられた開口部２６（図９参照）の前側に位置する。グリル開口部３０には、グリル扉１００が前後方向に移動可能に設けられている。ここで、本実施形態のコンロ１は、横幅寸法が小さいタイプである。そのため、グリルユニット４０は、天板３上に支持されるコンロバーナ４，５との位置関係により、筐体２内において左壁部２２側に寄せた位置に配置されている（図３参照）。よって、グリル開口部３０は、グリルユニット４０の位置に対応するように、左側に寄せた位置に配置されている。
【００２７】
グリル扉１００は、グリル開口部３０を介して開口部２６（図３参照）を開閉する。図１に示すように、グリル扉１００の前面１０１の略中央部には、グリルユニット４０内を視認できる窓部１０５が設けられている。窓部１０５の下側には、前方に突出する取手１０３が設けられている。ユーザは、取手１０３を手前側に引き出すことにより、グリル扉１００の背面１０２の下部に連結された受皿１１０（図２０参照）と焼き網（図示略）を、グリルユニット４０内から手前に同時に取り出すことができる。また、図２０に示すように、グリル扉１００の背面１０２において、窓部１０５の下側を除く周囲を取り囲むようにして、後方に突出する凸状に形成された背面視逆Ｕ字状のビード部１０７が設けられている。
【００２８】
筐体２の前面において、グリル開口部３０の右隣りには、操作ツマミ３１が設けられている。操作ツマミ３１は、グリルユニット４０内に設けられたグリルバーナ６５（図３参照）の点火、消火、及び火力調節を行う。操作ツマミ３１の下方には、電池ボックス３２が設けられている。電池ボックス３２には、コンロ１の電源として、例えば２つの乾電池が格納されている。
【００２９】
また、前壁部２３の前面の左右両側には、柱状の閉塞部材２９，２９が取り付けられている。コンロ１がキッチンのキャビネットに設置されたとき、キャビネットの前面に設けられた開口部（図示略）の内側に、コンロ１の前壁部２３が配置されるが、閉塞部材２９，２９は、前壁部２３の左右両側に生じる隙間を閉塞する。これにより、キャビネットにおけるコンロ１の前面の美感を向上できる。
【００３０】
図５を参照して、前壁部２３の構造を説明する。前壁部２３は、下側部２３１、右支柱板部２３２、左支柱板部２３３、上側部２３４等を備える。
【００３１】
下側部２３１は、平面視左右方向に長い略矩形板状に形成され、複数の孔を備える金属板である。下側部２３１の上面の右端側には、略角筒状の支持部材３２０が設けられている。支持部材３２０の内側には、上述の電池ボックス３２が前後方向に移動可能に支持される。
【００３２】
右支柱板部２３２は、上下方向に延びる断面略Ｌ字状の金属製アングル部材であって、支持部材３２０の左側に隣接して立設されている。右支柱板部２３２は、縦方向部２４１と横方向部２４２を備える。縦方向部２４１は、前後方向に延び且つ左右方向に面方向を有する板状の部位である。横方向部２４２は、縦方向部２４１の後端部から左側方に突出し且つ前後方向に面方向を有する板状の部位である。横方向部２４２の上部には固定孔２４６が設けられ、下部には固定孔２４７が設けられている。横方向部２４２の左端部には、上下一対の差込爪２５１，２５２が後方に突出して設けられている。差込爪２５１，２５２は、後方に突出し且つ先端側が上方に折れ曲がるフック形状である。
【００３３】
左支柱板部２３３も、上下方向に延びる断面略Ｌ字状の金属製アングル部材であって、下側部２３１の上面の左端部に立設されている。左支柱板部２３３は、縦方向部２４４と横方向部２４３を備える。縦方向部２４４は、前後方向に延び且つ左右方向に面方向を有する板状の部位である。横方向部２４３は、縦方向部２４４の後端部から右側方に突出し且つ前後方向に面方向を有する板状の部位である。横方向部２４３の上部には固定孔２４８が設けられ、下部には固定孔２４９が設けられている。横方向部２４３の右端部には、上下一対の差込爪２５３，２５４が後方に突出して設けられている。差込爪２５３，２５４も、後方に突出し且つ先端側が上方に折れ曲がるフック形状である。
【００３４】
これら右支柱板部２３２及び左支柱板部２３３は、何れも断面略Ｌ字状の金属製アングル部材で且つ厚い金属板で形成されているので、剛性が高い。コンロ１では、そのような右支柱板部２３２及び左支柱板部２３３に対して、グリルユニット４０の後述する囲い部２７が直接固定されるので、グリルユニット４０を筐体２の内側に安定して保持できる。
【００３５】
上側部２３４は、右側面視略Ｌ字型に形成されている。上側部２３４は、水平部２３４Ａと垂直部２３４Ｂを備える。水平部２３４Ａは、前後方向に略水平に延びる板状の部位である。垂直部２３４Ｂは、水平部２３４Ａの後端部から垂直上方に延びる板状の部位である。垂直部２３４Ｂの右側には、略矩形状の開口部２３５が設けられ、左側には、略矩形状の開口部２３６が設けられている。開口部２３５の下端部には、後方に突出する板状の載せ部２３５１が設けられている。開口部２３６の下端部には、後方に突出する板状の載せ部２３６１が設けられている。載せ部２３５１，２３６１には、固定孔（図示略）が設けられている。開口部２３５には、フロントパネル２８の後述する固定片２８７が前側から後方に差し込まれ、載せ部２３５１上に載置される。開口部２３６には、フロントパネル２８の後述する固定片２８８が前側から後方に差し込まれ、載せ部２３６１上に載置される。
【００３６】
垂直部２３４Ｂの上端部には、前方に突出する天板受け部２５７が設けられている。天板受け部２５７は、平面視略コの字型に形成されている。天板受け部２５７には、３つの係止爪２５７Ａ，２５７Ｂ，２５７Ｃが設けられている。天板３の前端部には、係止爪２５７Ａ〜２５７Ｃに係止する。天板受け部２５７は、天板３の前端面を下方から支持する。上側部２３４は、右支柱板部２３２の上端部と、左支柱板部２３３の上端部とに対してネジ（図示略）で固定されている。上側部２３４、右支柱板部２３２、左支柱板部２３３、下側部２３１によって囲まれた内側には、略矩形状のグリル開口部３０が形成される。
【００３７】
図７，図８を参照して、フロントパネル２８の構造を説明する。フロントパネル２８は、前壁部２３の前面を覆うように取り付けられる。フロントパネル２８は、右外装部２８２、左外装部２８３、連結部２８１を備える。右外装部２８２は、前壁部２３におけるグリル開口部３０の右側を覆う正面視略矩形状の部位である。左外装部２８３は、グリル開口部３０の左側を覆う正面視上下方向に延びる帯状の部位である。連結部２８１は、右外装部２８２と左外装部２８３とを上部において互いに連結する正面視左右方向に延びる部位である。フロントパネル２８は、連結部２８１、右外装部２８２、左外装部２８３によって囲まれる正面視略矩形状のパネル側開口部２８９を備える。
【００３８】
右外装部２８２の略中央には、円形状の挿通孔２８２Ａが設けられている。挿通孔２８２Ａは、操作ツマミ３１の筐体２の内側から延びる回転軸（図示略）を挿通させる。右外装部２８２の下端部には、支持枠部２８４が設けられている。支持枠部２８４は、支持部材３２０（図５参照）の前部に固定される。支持枠部２８４の左端部には、左方に突出する固定片２８６が設けられている。固定片２８６には、固定孔２８６Ａが設けられている。他方、左外装部２８３の下端部には、後方に突出すると共に、先端側が右方に略直角に屈曲する固定片２８５が設けられている。固定片２８５には、固定孔２８５Ａが設けられている。固定片２８５と２８６は、互いに同一の高さ位置である。
【００３９】
連結部２８１は、前面部２８１Ａと上面部２８１Ｂを備え、断面略逆Ｌ字型に形成されている。前面部２８１Ａは、前後方向に面方向を有し、正面視左右方向に延びる略帯状の部位である。上面部２８１Ｂは、前面部２８１Ａの上端部から後方に略直角に屈曲して延び、上下方向に面方向を有する部位である。上面部２８１Ｂの後端部の左右両側には、後方に突出する固定片２８７，２８８が設けられている。固定片２８７，２８８は、前壁部２３に設けられた開口部２３５，２３６に対応する。固定片２８７，２８８には、固定孔２８７Ａ，２８８Ａが設けられている。
【００４０】
図４〜図８を参照して、フロントパネル２８の固定構造を説明する。図４に示すように、フロントパネル２８は、前壁部２３の前面を覆うように固定される。連結部２８１に設けられた固定片２８７，２８８は、前壁部２３の上側部２３４の垂直部２３２Ｂに設けられた開口部２３５，２３２２に対して前方から差し込まれ、載せ部２３５１，２３６１の夫々の上面に載置される（図３，図５参照）。固定片２８７，２８８に設けられた固定孔２８７Ａ，２８８Ａは、載せ部２３５１，２３６１の固定孔（図示略）に位置決めされ、ネジ１４（図３参照）で、筐体２の内側に設けられた他部材（図示略）に固定される。これにより、フロントパネル２８の連結部２８１が、筐体２の前壁部２３に固定される。
【００４１】
フロントパネル２８の支持枠部２８４の左端部に設けられた固定片２８５（図７，図８参照）は、前壁部２３の右支柱板部２３２の横方向部２４２の下部に設けられた固定孔２４７（図５参照）に位置決めされ、ネジ（図示略）で固定される。これにより、右外装部２８２の下部（支持枠部２８４）が筐体２の前壁部２３に固定される。他方、フロントパネル２８の左外装部２８３の下端部に設けられた固定片２８６（図７，図８参照）は、前壁部２３の左支柱板部２３３の横方向部２４３の下部に設けられた固定孔２４９に位置決めされ、ネジ１６で固定されている（図５参照）。これにより、左外装部２８３の下部が筐体２の前壁部２３に固定される。パネル側開口部２８９は、筐体２の前壁部２３の前面に配置され、グリル開口部３０の前側に重なるように配置される。
【００４２】
このように、本実施形態のフロントパネル２８では、右外装部２８２及び左外装部２８３の夫々の下部が、筐体２の前壁部２３の右支柱板部２３２及び左支柱板部２３３に夫々固定されている。これにより、グリルユニット４０から伝わる熱によってフロントパネル２８の温度が上昇しても、右外装部２８２と左外装部２８３がハの字型に拡がるのを防止できる。
【００４３】
図９〜図１４を参照して、グリルユニット４０の構造を説明する。図９〜図１１に示すように、グリルユニット４０は、前側が開口する略直方体の箱状に形成されている。グリルユニット４０の前端部には、正面視略矩形状の開口部２６が形成されている。図１４に示すように、グリルユニット４０は、下から順に、ユニット本体部５０、グリルフード６０、遮熱板７０、排気筒８０を備える。ユニット本体部５０は、上面が開口する断面略Ｕ字状の箱型に形成され、被調理物を加熱する加熱空間を形成する。グリルフード６０は、ユニット本体部５０の開口する上部を塞ぐように固定され、グリルバーナ６５をユニット本体部５０側である下方に向けて支持する。遮熱板７０は、グリルフード６０の上面を覆うように隙間を空けて支持され、グリルバーナ６５から伝わる熱を遮断することによって、天板３の温度が過度に上昇するのを防止する。排気筒８０は、ユニット本体部５０の後部に連結され、ユニット本体部５０内の燃焼ガスを、天板３の後部に設けられた排気口部１２Ａに導く。
【００４４】
ユニット本体部５０の構造を説明する。図９，図１０，図１４に示すように、ユニット本体部５０は、右側壁部５１、左側壁部５２、底壁部５３、背壁部５４等を備える。右側壁部５１の前端部には、右側面部５１２が設けられている。右側面部５１２は、右側壁部５１の前端部から右側方に突出する正面視略矩形状の板部であって、面方向が前後方向に向くように配置されている。右側面部５１２の上部と下部には、差込孔５１２Ａ，５１２Ｂが設けられている。差込孔５１２Ａ，５１２Ｂは、上下方向に延びるスリット状に形成されている。図１４に示すように、右側壁部５１の上端部には、上面部５１１が設けられている。上面部５１１は、右側壁部５１の上端部から右側方に突出する平面視略帯状の板部であって、面方向が上下方向に向くように配置されている。上面部５１１には、複数の固定孔５１１Ａが設けられている。
【００４５】
図９，図１０，図１４に示すように、左側壁部５２の前端部には、左側面部５２２が設けられている。左側面部５２２は、左側壁部５２の前端部から左側方に突出する正面視略矩形状の板部であって、面方向が前後方向に向くように配置されている。左側面部５２２の上部と下部には、差込孔５２２Ａ，５２２Ｂが夫々設けられている。差込孔５２２Ａ，５２２Ｂは、上下方向に延びるスリット状に形成されている。図１４に示すように、左側壁部５２の上端部には、上面部５２１が設けられている。上面部５２１は、左側壁部５２の上端部から左側方に突出する平面視略帯状の板部であって、面方向が上下方向に向くように配置されている。上面部５２１には、複数の固定孔５２１Ａが設けられている。なお、右側面部５１２及び左側面部５２２は、前後方向において互いに同一位置に配置されている。
【００４６】
底壁部５３は、右側壁部５１の下端部と、左側壁部５２の下端部との間に略水平に設けられている。その上面には、前後方向に延設され、上方に凸状に隆起する左右一対のガイド部５３１が設けられている。一対のガイド部５３１は、受皿１１０を前後方向に案内する。背壁部５４は、右側壁部５１の後端部と、左側壁部５２の後端部と、底壁部５３の後端部との間に設けられている。
【００４７】
図１４に示すように、上記構造を備えるユニット本体部５０において、右側壁部５１の外面には、右側ダクト部５５が設けられ、左側壁部５２の外面には、左側ダクト部５６が設けられている。図１０，図１２，図１４に示すように、右側ダクト部５５は、金属板を折り曲げて形成され、本体部５５１、前側支持部５５２、後側支持部５５３、上側固定部５５４等を備える。本体部５５１は、右側面視前後方向に長い略矩形状に形成されている。前側支持部５５２は、本体部５５１の前端部から右側壁部５１の外面側（左方）に延び、且つ先端側が前方に屈曲する断面視略Ｌ字型に形成されている。後側支持部５５３は、本体部５５１の後端部から右側壁部５１の外面側（左方）に延び、且つ先端側が後方に屈曲する断面視略Ｌ字型に形成されている。右側ダクト部５５では、前側支持部５５２の前方に延びる先端側部分と、後側支持部５５３の後方に延びる先端側部分とが、右側壁部５１の外面に当接することで、右側壁部５１の外面と本体部５５１との間に隙間が形成されている。
【００４８】
上側固定部５５４は、本体部５５１の上端部から左側方に延び、平面視前後方向に延びる略帯状に形成されている。上側固定部５５４には、固定孔５５４Ａが設けられている。右側ダクト部５５は、上側固定部５５４を、ユニット本体部５０の右側壁部５１の上面部５１１上に上方から係止させ、固定孔５５４Ａを上面部５１１に設けられた固定孔５１１Ａに位置決めし、ネジ１５で締結することによって、右側壁部５１の外面に配置される。
【００４９】
他方、図９，図１２〜図１４に示すように、左側ダクト部５６も、金属板を折り曲げて形成され、本体部５６１、前側支持部５６２、後側支持部５６３、上側固定部５６４等を備える。本体部５６１は、左側面視前後方向に長い略矩形状に形成されている。前側支持部５６２は、本体部５６１の前端部から左側壁部５２の外面側（右方）に延び、且つ先端側が前方に屈曲する断面視略Ｌ字型に形成されている。後側支持部５６３は、本体部５６１の後端部から左側壁部５２の外面側（右方）に延び、且つ先端側が後方に屈曲する断面視略Ｌ字型に形成されている。左側ダクト部５６では、前側支持部５６２の前方に延びる先端側部分と、後側支持部５６３の後方に延びる先端側部分とが、左側壁部５２の外面に当接することで、左側壁部５２の外面と本体部５６１との間に隙間が形成されている。
【００５０】
上側固定部５６４は、本体部５６１の上端部から右側方に延び、平面視前後方向に延びる略帯状に形成されている。上側固定部５６４には、複数の固定孔５６４Ａが設けられている。左側ダクト部５６は、上側固定部５６４を、ユニット本体部５０の左側壁部５２の上面部５２１上に上方から係止させ、複数の固定孔５６４Ａを上面部５２１に設けられた複数の固定孔５２１Ａに合わせ、ネジ１５で締結することによって、左側壁部５２の外面に配置される。
【００５１】
右側ダクト部５５は、右側壁部５１の外面と本体部５５１との間に隙間を形成することで、グリルバーナ６５の燃焼によって温度が上昇する右側壁部５１から熱を伝わり難くすることができる。左側ダクト部５６においても同様に、左側壁部５２の外面と本体部５６１との間に隙間を形成することで、グリルバーナ６５の燃焼によって温度が上昇する左側壁部５２から熱を伝わり難くすることができる。
【００５２】
ユニット本体部５０において、右側壁部５１の上面部５１１の後端部と、左側壁部５２の上面部５２１の後端部との間には、左右方向に延びるアーム状の横梁部５７が渡設されている。横梁部５７の右端部には、固定孔５７１が設けられ、左端部には、固定孔５７２が設けられている。固定孔５７１は、ユニット本体部５０の右側壁部５１の上面部５１１の後端部に設けられた固定孔５１１Ａに位置決めされ、ネジ１５で固定されている。固定孔５７２は、ユニット本体部５０の左側壁部５２の上面部５２１の後端部に設けられた固定孔５２１Ａに位置決めされ、ネジ１５で固定されている。横梁部５７は、ユニット本体部５０の後部において排気筒８０が連結される部分に生じる隙間を後方から閉塞する。
【００５３】
図１４を参照して、グリルフード６０の構造を説明する。グリルフード６０は、平面視略矩形の板状に形成されている。グリルフード６０は、フード本体部６１、右縁部６２、左縁部６３、上縁部６４、ガス供給部６６等を備える。フード本体部６１は、平面視略矩形状に形成され、その外周縁部は、外方に向かうに従って斜めに傾斜しており、断面視略台形状に形成されている。フード本体部６１の下面の略中央部には、底面視略矩形状のグリルバーナ６５が設けられている。右縁部６２は、フード本体部６１の右端部から右方に向かって略水平に延設され、平面視前後方向に延びる略帯状に形成されている。右縁部６２には、複数の固定孔６２１が設けられている。右縁部６２は、ユニット本体部５０の右側壁部５１の上面部５１１に対し、右側ダクト部５５の上側固定部５５４を介して当接され、右縁部６２に設けられた固定孔６２２を、上面部５１１に設けられた固定孔５１１Ａに位置決めした後で、ネジ１５を上方から締結することで、ユニット本体部５０の右側壁部５１の上面部５１１に固定される。
【００５４】
左縁部６３は、フード本体部６１の左端部から左方に向かって略水平に延設され、平面視前後方向に延びる略帯状に延設されている。左縁部６３には、複数の固定孔６３１が設けられている。左縁部６３は、ユニット本体部５０の左側壁部５２の上面部５２１に対し、左側ダクト部５６の上側固定部５６４を介して当接され、左縁部６３に設けられた固定孔６３２を、上面部５２１に設けられた固定孔５２１Ａに位置決めした後で、ネジ１５を上方から締結することで、ユニット本体部５０の左側壁部５２の上面部５２１に固定される。
【００５５】
左縁部６３の後端側には、熱電対６７及び点火電極６８が板状の固定部材６９によって固定されている。熱電対６７は前側、点火電極６８は後側に配置されている（図１１参照）。熱電対６７及び点火電極６８の夫々の先端部は、グリルバーナ６５に隣接する位置に突出するように配置されている。点火電極６８は、操作ツマミ３１の押し回し操作に基づいて駆動することによって、グリルバーナ６５に点火する。熱電対６７は、グリルバーナ６５の状態、例えば失火を検出する。
【００５６】
上縁部６４は、フード本体部６１の前端部から垂直上方に屈曲して設けられ、面方向が前後方向に向く正面視左右方向に延びる略矩形の板状に形成されている。上縁部６４の左右両端部には、固定孔６４１，６４２が設けられている。上縁部６４は、ユニット本体部５０の右側面部５１２、及び左側面部５２２と共に、正面視逆Ｕ字状の囲い部２７を構成する。後述するが、囲い部２７は、筐体２の前壁部２３に設けられた右支柱板部２３２及び左支柱板部２３３に対して直接固定される部分である。上縁部６４は、右側面部５１２及び左側面部５２２と囲い部２７を構成したときに、右側面部５１２及び左側面部５２２と、互いに面一になるように位置が調整されている。
【００５７】
ガス供給部６６は、フード本体部６１の後端側に設けられ、ガス供給路６６１とガス供給口６６２を備える。ガス供給路６６１のガスが流れる方向の下流側の端部は、グリルバーナ６５に接続されている。ガス供給口６６２は、ガス供給路６６１の上流側の端部に拡径して設けられている。ガス供給口６６２には、図示しないガス供給管が接続される。これにより、ガス供給管からガス供給口６６２を介して、ガス供給路６６１にガスが流れ、グリルバーナ６５に供給される。
【００５８】
図１５〜図１９を参照して、遮熱板７０の構造を説明する。遮熱板７０は、金属板で構成され、平面視略矩形状に形成されている。遮熱板７０は、本体部７１、右側部７２、第一垂下部７３、第二垂下部７４、邪魔板部７６、邪魔板部７７、前側部７８、突出片７９等を備え、グリルフード６０を上方から覆うことができる程の大きさを備える（図１１参照）。本体部７１は、平面視略矩形状に形成されている。本体部７１には、３本の凸状部７１１〜７１３が設けられている。凸状部７１１〜７１３は、例えばプレス加工によって上方に突出するように形成される。凸状部７１１は、本体部７１の右端側に配置され、本体部７１の後端側から前方に向かって直線状に延設され、その前端側で左方に略直角に折り返して延設されており、平面視略Ｌ字状に形成されている。凸状部７１２は、凸状部７１１の左側で且つ本体部７１の略中央に設けられ、凸状部７１１よりも小さい平面視略Ｌ字状に形成されている。凸状部７１３は、本体部７１の左端側に配置され、本体部７１の後端側から前方に向かって直線状に延設されている。凸状部７１１〜７１３は、本体部７１を前後方向及び左右方向における剛性を向上させる。
【００５９】
図１４，図１７〜図１９に示すように、右側部７２は、本体部７１の右端部に沿って設けられ、右側方に対して斜め下方に傾斜する板状に形成されている。右側部７２の右端部には、さらに略水平に突出する平面視前後方向に延びる固定片部７２１が設けられている。固定片部７２１の長手方向略中央部には、固定孔７２２が設けられている。固定片部７２１は、グリルフード６０の右縁部６２の上面に当接し、固定孔７２２が右縁部６２に設けられた固定孔６２１に位置決めされてネジ１５で固定される（図１４参照）。これにより、遮熱板７０の右端側が、グリルフード６０に固定される。
【００６０】
本体部７１の左端部の後端側には、右方に向かって平面視略矩形状に窪んだ凹部７５が設けられている。凹部７５は、遮熱板７０がグリルユニット４０として組み込まれた状態において、グリルフード６０の左縁部６３に固定された固定部材６９の上方に重なる位置に配置される（図９，図１１参照）。これにより、熱電対６７及び点火電極６８の夫々の後端側が遮熱板７０の外側に露出される。
【００６１】
第一垂下部７３は、本体部７１の左端部のうち凹部７５よりも前側部分から垂下して設けられ、左側面視前後方向に長い略長方形状に形成されている。第一垂下部７３の上下方向の長さは、遮熱板７０がグリルユニット４０として組み込まれた状態において、少なくともグリルバーナ６５よりも下側位置にまで垂下するように調整されている。第一垂下部７３の前側の下側角部には、略矩形状に切り欠いて形成された段部７３１が設けられている。段部７３１の後端側には、右側方に屈曲して形成された当接片７３２が設けられている（図１８，図１９参照）。当接片７３２は、遮熱板７０がグリルユニット４０として組み込まれた状態において、グリルフード６０の左縁部６３の上面に当接する。これにより、遮熱板７０は、本体部７１の左端側をグリルフード６０と非接触になるように配置できる。なお、第一垂下部７３の下端部のうち段部７３１を除く部分は、上方に屈曲して折り曲げられている。
【００６２】
第二垂下部７４は、本体部７１の左端部のうち凹部７５よりも後側部分から垂下して設けられている。第二垂下部７４の上下方向の長さも、第一垂下部７３と同様に、遮熱板７０がグリルユニット４０として組み込まれた状態において、少なくともグリルバーナ６５よりも下側位置にまで垂下すうように調整されている。なお、第二垂下部７４の下端部も上方に屈曲して折り曲げられている。
【００６３】
図１５，図１６に示すように、邪魔板部７６は、凹部７５の内縁部のうち最奥部である左端部から垂下して設けられ、左側面視横長の略矩形状に形成されている。邪魔板部７７は、第一垂下部７３の後端部から右方に略直角に折り返して設けられ、背面視略台形状に形成されている。邪魔板部７７の下端部には、後方に略直角に屈曲して略水平に延びる固定片７７１が設けられている。固定片７７１には、固定孔７７２が設けられている。固定片７７１は、遮熱板７０がグリルユニット４０として組み込まれた状態において、グリルフード６０の左縁部６３の上面に当接し、固定孔７７２が左縁部６３に設けられた固定孔６３１に位置決めされてネジ１５で固定される（図１４参照）。邪魔板部７７が配置される部分では、本体部７１とグリルフード６０の間は非接触であり、そのような邪魔板部７７の下端部に固定片７７１を設けているので、グリルフード６０の左縁部６３に設けられた固定孔６３１から漏れる熱気が遮熱板７０に伝わるのを防止できる。
【００６４】
前側部７８は、本体部７１の前端部に沿って下方に突出して設けられ、正面視左右方向に延びる略矩形状に形成されている。前側部７８は、遮熱板７０がグリルユニット４０として組み込まれた状態において、グリルフード６０の前側に設けられた上縁部６４の背面側に重なって配置される（図９参照）。突出片７９は、本体部７１の後端部に沿って後方に対して斜め上方に突出して設けられ、平面視左右方向に延びる略帯状に形成されている。突出片７９は、遮熱板７０がグリルユニット４０として組み込まれた状態において、排気筒８０の後述する第一通路部８１の上面の前端側に重ねて配置される（図１０，図１１参照）。
【００６５】
図９〜図１１，図１４を参照して、排気筒８０の構造を説明する。排気筒８０は、前側から順に、第一通路部８１及び第二通路部８２を備える。第一通路部８１は、ユニット本体部５０の上部のうち、グリルフード６０によって塞がれる部位を除く後端側の開口（図示略）を塞ぐように固定され、後方に対して斜め上方に傾斜する略角筒状に形成されている。第一通路部８１の右側面の下部には、右側方に略水平に突出する平面視略矩形状の固定片８３が設けられている。固定片８３には、固定孔８３１が設けられている。第一通路部８１の左側面の下部には、左側方に略水平に突出する平面視略矩形状の固定片８４が設けられている。固定片８４には、固定孔８４１が設けられている。固定片８３は、ユニット本体部５０の右側壁部５１の上面部５１１の後端側に当接し、固定孔８３１が上面部５１１の後端側に設けられた固定孔５１１Ａに位置決めされて、ネジ１５で締結して固定される。固定片８４は、ユニット本体部５０の左側壁部５２の上面部５２１の後端側に当接し、固定孔８４１が上面部５２１の後端側に設けられた固定孔５２１Ａに位置決めされて、ネジ１５で締結して固定される。これにより、排気筒８０は、ユニット本体部５０に固定される。
【００６６】
第二通路部８２は、第一通路部８１の後端部から上方に折り返されて延びる略角筒状に形成されている。第二通路部８２の開口する上端部には、平面視左右方向に延びる略矩形状の排気口８２Ａが形成されている。それ故、ユニット本体部５０内の燃焼ガスは、排気筒８０の第一通路部８１及び第二通路部８２を流れて、排気口８２Ａから外部に排出される。図１４に示すように、排気口８２Ａの内側には、フレームトラップ１７が取り付けられる。フレームトラップ１７は、略平行に所定の間隔を隔てて配置される二つの多孔板１７Ａ，１７Ｂ（図２２参照）を備えて構成され、排気口８２Ａの内側に取り付けられた状態で、排気筒８０の筒方向に沿って多孔板１７Ａ，１７Ｂが順次配列される。各々の多孔板は、排気口８２Ａ内に取り付けられた状態で排気筒８０の筒方向に交差するように、且つ排気筒８０の内側面の間に隙間が形成しないように配置される。
【００６７】
フレームトラップ１７の右端側には、支持部材８７が固定され、左端側には、支持部材８８が固定されている。支持部材８７，８８は、多孔板１７Ａ，１７Ｂを上下に挟み込んで支持する。支持部材８７には、固定孔８７１が設けられている。支持部材８８には、固定孔８８１が設けられている。第二通路部８２の上端部のうち右側の端部には、右側方に張り出したフランジ部８５が設けられている。フランジ部８５には、固定孔８５１が設けられている。第二通路部８２の上端部のうち左側の端部には、左側方に張り出したフランジ部８６が設けられている。フランジ部８６には、固定孔８６１が設けられている。排気口８２Ａに対してフレームトラップ１７を上方から挿入すると共に、支持部材８７，８８をフランジ部８５，８６上に係止させる。支持部材８７，８８の固定孔８７１，８８１を、フランジ部８５，８６の固定孔８５１，８６１に位置決めして、後述する閉塞部材８９を介して、ネジ１５で固定することによって、フレームトラップ１７が排気口８２Ａの内側に取り付けられる。
【００６８】
閉塞部材８９は、右側フランジ部８９１、左側フランジ部８９２、連結部８９３等を備える。右側フランジ部８９１は、第二通路部８２の上端部の右側に設けられたフランジ部８５に係止して固定される平面視略矩形状の板部である。右側フランジ部８９１には、固定孔８９１Ａが設けられている。左側フランジ部８９２は、第二通路部８２の上端部の左側に設けられたフランジ部８６に係止して固定される平面視略矩形状の板部である。左側フランジ部８９２には、固定孔８９２Ａが設けられている。連結部８９３は、右側フランジ部８９１の前端部と、左側フランジ部８９２の前端部との間に連結されている。連結部８９３は、左右方向に略直線状に延び、且つ断面略Ｌ字状に形成されている（図２２参照）。連結部８９３は、排気筒８０の排気口８２Ａの内側に挿入されると共に、第二通路部８２の内面のうち前側の内面に寄せて配置される。
【００６９】
図１４に示すように、排気口８２Ａの左右両側に設けられたフランジ部８５，８６に対して、フレームトラップ１７を支持する支持部材８７，８８を係止して位置決めした後で、その上から閉塞部材８９の右側フランジ部８９１及び左側フランジ部８９２を係止させる。そして、右側フランジ部８９１及び左側フランジ部８９２の固定孔８９１Ａ，８９２Ａを、支持部材８７，８８の固定孔８７１，８８１に位置決めしてから、ネジ１５で上方から締結し、右側フランジ部８９１及び左側フランジ部８９２に固定する。これにより、第二通路部８２の上端部に対し、支持部材８７，８８、閉塞部材８９が固定される。
【００７０】
図２２，図２３に示すように、連結部８９３は、第二通路部８２の内面のうち前側の内面に寄せて配置されている。筐体２内にグリルユニット４０が設置されたコンロ１において、排気筒８０の排気口８２Ａは、天板３の後端側のカバー部１１に設けられた排気口部１２Ａの直下に配置される（図２１参照）。図２２に示すように、コンロ１の前後方向において、排気口８２Ａの前端の位置Ｐ１は、排気口部１２Ａのうち最前列にある４つのスリット１２１Ａの前端の位置Ｐ２よりも前側に位置している。そして、排気口８２Ａを上側から見たとき、位置Ｐ１とＰ２の間の領域Ｐ３には、閉塞部材８９の連結部８９３が配置されている。
【００７１】
ここで、仮に、閉塞部材８９を第二通路部８２に取り付けない場合、排気口８２Ａから上方に流れる燃焼ガスは、排気口８２Ａの前側においてカバー部１１の下面に衝突し、その一部が筐体２の内側に流れ込む可能性がある。そして、図２３に示すように、排気口８２Ａの前側にはコンロバーナ４のガス流入口４Ａが配置されているので、筐体２の内側に流れ込んだ燃焼ガスの一部は、ガス流入口４Ａに再度引き込まれてしまう可能性がある。そこで、本実施形態では、第二通路部８２に閉塞部材８９を取り付けることによって、排気口８２Ａのうち、排気口部１２Ａの最前列にあるスリット１２１Ａよりも前側部分と重なる領域Ｐ３を、連結部８９３によって閉塞することができる。これにより、第二通路部８２を流れる燃焼ガスは、連結部８９３よりも後ろ側において上方に流れるので、筐体２内に流れることなく、排気口部１２Ａを介して外部にスムーズに排出される。これにより、コンロ１は、排気筒８０の排気口８２Ａから排出される燃焼ガスが、筐体２内に流れ込むのを防止できる。
【００７２】
図４〜図６を参照し、筐体２内におけるグリルユニット４０の固定方法の一例を説明する。図５に示すように、先ず、筐体２の内側にグリルユニット４０を配置し、前壁部２３のグリル開口部３０に対して背面側から、グリルユニット４０の前端側に形成された囲い部２７を向ける。次いで、グリル開口部３０の右側に位置する右支柱板部２３２に設けられた差込爪２５１，２５２と、グリル開口部３０の左側に位置する左支柱板部２３３に設けられた差込爪２５３，２５４とが、囲い部２７のうち右側面部５１２に設けられた差込孔５１２Ａ，５１２Ｂと、左側面部５２２に設けられた差込孔５２２Ａ，５２２Ｂとに差し込まれるように、グリルユニット４０を筐体２の内側に設置する。このとき、右側面部５１２は、右支柱板部２３２の横方向部２４２の背面に当接し、左側面部５２２は、左支柱板部２３３の横方向部２４３の背面に当接する。この状態では、右支柱板部２３２及び左支柱板部２３３は、グリルフード６０の上縁部６４の左右方向の両端部と、ユニット本体部５０の右側面部５１２及び左側面部５２２の夫々の外側部とを上下に跨ぐように、囲い部２７に対して前側から重なり合っている。これにより、グリルユニット４０は、前壁部２３の右支柱板部２３２及び左支柱板部２３３に対して強固に位置決めされる。
【００７３】
次いで、グリルユニット４０が位置決めされた状態で、囲い部２７のうち上縁部６４の右端部に設けられた固定孔６４１を、右支柱板部２３２の横方向部２４２の上端部に設けられた固定孔２４６に位置決めし、右支柱板部２３２の前側からネジ（図示略）で締結する。他方、上縁部６４の左端部に設けられた固定孔６４２を、左支柱板部２３３の横方向部２４３の上端部に設けられた固定孔２４８に位置決めし、左支柱板部２３３の前側からネジ１６（図４参照）で締結する。これにより、グリルユニット４０が前壁部２３に対して固定され、筐体２内に固定される。また、本実施形態では、差込爪２５１，２５２と、２５３，２５４とが設けられる右支柱板部２３２及び左支柱板部２３３に対し、グリルフード６０の上縁部６４を固定することで、グリルユニット４０におけるグリルフード６０とユニット本体部５０との相互の位置ズレを防止できる。
【００７４】
また、図４に示すように、コンロ１を前側から見た場合において、囲い部２７は、グリル開口部３０において露出する。囲い部２７では、グリルフード６０の上縁部６４と、ユニット本体部５０の右側面部５１２及び左側面部５２２とが、互いに面一になっている。このような囲い部２７に対して、グリル扉１００の背面１０２に設けられたビード部１０７（図２０参照）が当接する。これにより、グリルユニット４０とグリル扉１００の密着性を高めることができるので、燃焼による熱気の漏出等を防止できる。また、従来のように、グリルユニット４０とグリル扉１００の密着性を高める為に、金枠を用いる必要が無いので、製造コストを低減でき、且つ組み付けの簡素化を図ることができる。
【００７５】
図３，図１２，図１３を参照して、コンロ１内における遮熱板７０の第一垂下部７３、第二垂下部７４、邪魔板部７６，７７の作用効果を説明する。図３に示すように、コンロ１は、横幅の狭いコンロであるので、コンロバーナ４，５との位置関係により、グリルユニット４０は筐体２の左壁部２２側に寄せて設置されている。また、筐体２の内側が狭いことから、グリルユニット４０とコンロバーナ４，５とが上下に重なるようにして配置されている。そこで、本実施形態では、グリルフード６０の上方に配置される遮熱板７０の本体部７１の左端部に、第一垂下部７３及び第二垂下部７４が設けられている。図１２，図１３に示すように、第一垂下部７３及び第二垂下部７４の下端（図１２，図１３中Ｐ１位置参照）は、グリルフード６０に設けられたグリルバーナ６５（図１２中Ｐ２位置参照）よりも下側に位置する。そのような第一垂下部７３及び第二垂下部７４により、グリルバーナ６５の左側を、筐体２の左壁部２２側で覆うことができるので、本実施形態のような横幅の狭いコンロ１であっても、グリルバーナ６５の輻射熱が筐体２の左壁部２２に伝わるのを防止できる。そして、筐体２の左壁部２２の温度が過度に上昇しないことから、コンロ１が設置されるキッチンのキャビネット付近の天板３や筐体２の温度が過度に上昇するのを防止できるので、快適で安全な調理を楽しむことができる。
【００７６】
また、遮熱板７０の本体部７１の左端部には凹部７５が設けられ、熱電対６７及び点火電極６８を固定する固定部材６９を露出させている。凹部７５では、固定部材６９や、グリルバーナ６５側に配置される熱電対６７及び点火電極６８の夫々の先端部からの熱が漏れるが、本実施形態では、図１１に示すように、凹部７５の位置とコンロバーナ４，５の各位置との間において、邪魔板部７６，７７が夫々位置している。なお、図１１では、コンロバーナ４，５の各位置を二点鎖線で示している。これにより、固定部材６９や、熱電対６７及び点火電極６８の夫々の先端部からの熱が、邪魔板部７６，７７によって遮蔽されるので、コンロバーナ４，５側に伝わるのを防止できる。
【００７７】
また、本実施形態では、遮熱板７０の第一垂下部７３の段部７３１に、当接片７３２をグリルフード６０側に屈曲して設け、グリルフード６０の左縁部６３上に当接させることで、遮熱板７０の本体部７１の左端側を、可能な限り、グリルフード６０と非接触になるように配置している。これにより、ユニット本体部５０及びグリルフード６０からの熱が直接的に遮熱板７０に伝熱されて遮熱性が劣るのを防止できる。また、当接片７３２は、グリルバーナ６５よりも前方に配置されているので、グリルバーナ６５と筐体２の左壁部２２との間に当接片７３２が配置されない。グリルフード６０のうち、グリルバーナ６５と筐体２の左壁部２２との間の部分は温度が高いが、その部分を避けるようにして、グリルバーナ６５の前方に当接片７３２が配置されているので、グリルフード６０から当接片７３２を介して遮熱板７０に伝熱するのを防止できる。
【００７８】
以上説明において、ユニット本体部５０が本発明の「ユニット本体部」の一例である。固定部材６９が本発明の「電装部品固定部」の一例である。邪魔板部７６，７７が本発明の「邪魔板」の一例である。当接片７３２が本発明の「当接部」の一例である。
【００７９】
以上説明したように、本実施形態のコンロ１は、筐体２、コンロバーナ４，５、グリルユニット４０を備える。コンロバーナ４，５は、筐体２の上部に設けられている。グリルユニット４０は、筐体２の左壁部２２側に寄った位置に配置され、一部がコンロバーナ５の下方に重なるように配置されている。グリルユニット４０は、上部が開口するユニット本体部５０、ユニット本体部５０の上部に取り付けられ、グリルバーナ６５が固定されたグリルフード６０、グリルフード６０を上方から覆うように配置された遮熱板７０等を備える。ユニット本体部５０とグリルフード６０との間には、被調理物をグリルバーナ６５により加熱調理する調理空間が形成されている。遮熱板７０の筐体２の左壁部２２側の左端部には、グリルバーナ６５よりも下側位置にまで垂下する第一垂下部７３、及び第二垂下部７４が設けられている。第一垂下部７３、及び第二垂下部７４は、ユニット本体部５０及びグリルフード６０から筐体２の左壁部２２側に所定の隙間を隔てるように配置されている。これにより、コンロ１は、第一垂下部７３、及び第二垂下部７４により、グリルバーナ６５の側方を、筐体２の左壁部２２側で覆うことができるので、グリルバーナ６５の輻射熱が筐体２に伝わるのを防止できる。
【００８０】
なお、本発明は上記実施形態に限定されるものではなく、種々の変更が可能である。上記実施形態のコンロ１は、ビルトインタイプのコンロであるが、テーブルコンロであってもよい。また、天板３上に二つのコンロバーナ４，５を備えるが、コンロバーナの数は一つでもよく、複数でもよい。また、右奥側のコンロバーナ４は標準バーナ、左手前側のコンロバーナ５は強火力バーナであるが、例えば、両方を標準バーナ、又は強火力バーナとしてもよい。
【００８１】
上記実施形態のコンロ１では、右奥側にコンロバーナ４、左手前側にコンロバーナ５を配置することから、グリルユニット４０を筐体２の左壁部２２側に寄せて設置しているが、コンロバーナの配置に応じて、グリルユニット４０を筐体２の右壁部２１側に寄せて設置してもよい。その場合、遮熱板７０に設ける垂下部は、遮熱板７０の右端側に設ければよい。
【００８２】
上記実施形態のコンロ１では、遮熱板７０の凹部７５において、コンロバーナ４，５の夫々の位置に応じて、凹部７５の最奥部である左端部の位置に邪魔板部７６を配置し、前端部の位置に邪魔板部７７を配置しているが、後端部の位置に邪魔板を配置してもよい。
【符号の説明】
【００８３】
１      コンロ
２      筐体
３      天板
４      コンロバーナ
５      コンロバーナ
２２      左壁部
４０      グリルユニット
５０      ユニット本体部
５５      右側ダクト部
５６      左側ダクト部
６０      グリルフード  
６５      グリルバーナ
６７      熱電対
６８      点火電極
６９      固定部材
７０      遮熱板
７３      第一垂下部
７４      第二垂下部
７５      凹部
７６      邪魔板部
７７      邪魔板部
７３２      当接片
７７１      固定片
【図１】
0006731729.tif 000002
【図２】
0006731729.tif 000003
【図３】
0006731729.tif 000004
【図４】
0006731729.tif 000005
【図５】
0006731729.tif 000006
【図６】
0006731729.tif 000007
【図７】
0006731729.tif 000008
【図８】
0006731729.tif 000009
【図９】
0006731729.tif 000010
【図１０】
0006731729.tif 000011
【図１１】
0006731729.tif 000012
【図１２】
0006731729.tif 000013
【図１３】
0006731729.tif 000014
【図１４】
0006731729.tif 000015
【図１５】
0006731729.tif 000016
【図１６】
0006731729.tif 000017
【図１７】
0006731729.tif 000018
【図１８】
0006731729.tif 000019
【図１９】
0006731729.tif 000020
【図２０】
0006731729.tif 000021
【図２１】
0006731729.tif 000022
【図２２】
0006731729.tif 000023
【図２３】
0006731729.tif 000024